(57)【要約】【課題】同時に二種類の被引っ掛け対象物を容易かつ適切に引っ掛けることができるようにする。【解決手段】壁面Ｈへの取付部１１を背面に備えると共に、この背面と前面との間に、上部と側部とにおいて外方に開放された溝状引っ掛け部１２を備えたベース体１と、このベース体１への回動組み付け部２０を有すると共に、この回動組み付け部２０に対向する端部２０’側を上方に向けた折り畳み位置とこの回動組み付け部２０に対向する端部２０’側を下方に向けた展開位置との間での移動操作可能にこの回動組み付け部２０をもってベース体１に回動可能に組み付けられた環状引っ掛け体２とを備えている。【選択図】　　　図３
2004125044.tif 000002
【特許請求の範囲】
【請求項１】
壁面への取付部を背面に備えると共に、この背面と前面との間に、上部と側部とにおいて外方に開放された溝状引っ掛け部を備えたベース体と、
このベース体への回動組み付け部を有すると共に、この回動組み付け部に対向する端部側を上方に向けた折り畳み位置とこの回動組み付け部に対向する端部側を下方に向けた展開位置との間での移動操作可能にこの回動組み付け部をもってベース体に回動可能に組み付けられた環状引っ掛け体とを備えていることを特徴とする引っ掛け具。
【請求項２】
ベース体の前面側に、環状引っ掛け体がその折り畳み位置においてはめ込み状に納まる凹部が形成されていることを特徴とする請求項１記載の引っ掛け具。
【請求項３】
溝状引っ掛け部における上部溝口と溝底との間に、この溝状引っ掛け部の溝幅を狭める膨出部が形成されていることを特徴とする請求項１又は請求項２記載の引っ掛け具。
【請求項４】
環状引っ掛け体が、ほぼ１８０度移動操作可能なようにベース体に組み付けられていることを特徴とする請求項１、請求項２又は請求項３記載の引っ掛け具。
【発明の詳細な説明】
【０００１】
【発明の属する技術分野】
この発明は、壁面に取り付けられて、買い物袋や、フック付きの物品などを、吊り下げ状に、あるいはまた、引っ掛け状に壁面に支持させる引っ掛け具の改良に関する。
【０００２】
【従来の技術】
自動車の室内において、買い物袋や、フック付きの物品などを吊り下げ状に、あるいはまた、引っ掛け状に壁面に支持させるフック具として、特許文献１ないし特許文献４に示されるものがある。
【０００３】
【特許文献１】
特開２０００−３１６７０４号公報
【特許文献２】
特開２０００−３２０５２５号公報
【特許文献３】
特開２０００−３４４０１７号公報
【特許文献４】
特開平１０−２５８６８６号公報
【０００４】
【発明が解決しようとする課題】
しかるに、特許文献１ないし特許文献３に記載のものは、買い物袋などを引っ掛ける部分が一カ所しかない。このため、同時に複数のものを引っ掛けるように用い難いものであった。
【０００５】
特許文献４に記載のものは、鉤状部と、この鉤状部に形成されたスロット内にこのスロットの対向壁面間を接続する水平方向バーとを有していることから、鉤状部を利用してハンガーなどを吊り下げ状に引っ掛けることができると共に、水平方向バーを利用してカーテンのガイドケーブルの端部に備え付けられたフックを引っ掛けることができ、同時にこのハンガーとガイドケーブルとを壁面に支持し得るものである。
【０００６】
しかし、特許文献４に記載のものは、水平方向バーが鉤状部に形成されたスロット内にあるため、この水平方向バーへの引っ掛け作業は必ずしも容易でない。
【０００７】
そこでこの発明は、この種の引っ掛け具において、同時に二種類の被引っ掛け対象物を容易かつ適切に引っ掛けることができるようにすることを主たる目的とする。
【０００８】
【課題を解決するための手段】
前記目的を達成するために、請求項１記載の発明にあっては、引っ掛け具が、壁面への取付部を背面に備えると共に、この背面と前面との間に、上部と側部とにおいて外方に開放された溝状引っ掛け部を備えたベース体と、
このベース体への回動組み付け部を有すると共に、この回動組み付け部に対向する端部側を上方に向けた折り畳み位置とこの回動組み付け部に対向する端部側を下方に向けた展開位置との間での移動操作可能にこの回動組み付け部をもってベース体に回動可能に組み付けられた環状引っ掛け体とを備えていることを特徴としている。
【０００９】
かかる構成によれば、先ず、ベース体の溝状引っ掛け部を利用して、この溝状引っ掛け部に引っ掛け可能な部分を備えた被引っ掛け対象物を、引っ掛け具を介して壁面に吊り下げ状に支持させることができる。
【００１０】
かかる溝状引っ掛け部は、ベース体の背面と前面との間にこのベース体の上部と側部とにおいて外方に開放されるように設けられていることから、被引っ掛け対象物の引っ掛け可能な部分への引っ掛かり代を大きく確保させることができ、安定的に被引っ掛け対象物を吊り下げ状に支持させることができる。
【００１１】
また、環状引っ掛け体を利用して、フック付きの被引っ掛け対象物をさらに引っ掛け具を介して壁面に支持させることができる。
【００１２】
また、環状引っ掛け体によって被引っ掛け対象物を支持させる必要がない場合には、この環状引っ掛け体を前記折り畳み位置に折り畳んでおくことにより、環状引っ掛け体が邪魔にならないようにしておくことができる。
【００１３】
また、請求項２記載の発明にあっては、請求項１記載の引っ掛け具におけるベース体の前面側に、環状引っ掛け体がその折り畳み位置においてはめ込み状に納まる凹部が形成されていることを特徴としている。
【００１４】
かかる構成によれば、環状引っ掛け体によって被引っ掛け対象物を支持させる必要がない場合には、この環状引っ掛け体を前記折り畳み位置に折り畳んでおくことにより、環状引っ掛け体が邪魔にならないように、ベース体にスッキリと収納させておくことができる。
【００１５】
また、請求項３記載の発明にあっては、請求項１又は請求項２記載の引っ掛け具における溝状引っ掛け部における上部溝口と溝底との間に、この溝状引っ掛け部の溝幅を狭める膨出部が形成されていることを特徴としている。
【００１６】
かかる構成によれば、溝状引っ掛け部に対し上部溝口から溝底に接する位置まで一旦入れ込まれた被引っ掛け対象物の引っ掛け可能な部分を、この膨出部によって上方に移動させ難くすることができ、かかる引っ掛け可能な部分の引っ掛け状態、つまり、被引っ掛け対象物の吊り下げ状の支持状態を安定的に維持することができる。
【００１７】
また、請求項４記載の発明にあっては、請求項１、請求項２又は請求項３記載の引っ掛け具における環状引っ掛け体が、ほぼ１８０度移動操作可能なようにベース体に組み付けられていることを特徴としている。
【００１８】
かかる構成によれば、環状引っ掛け体を展開させ切った状態においては環状引っ掛け体はベース体の下方に位置されることから、フックを備えた被引っ掛け対象物のこのフックを、この展開位置まで回動された環状引っ掛け体に対し容易に引っ掛けることができる。
【００１９】
【発明の実施の形態】
以下、図１ないし図８に基づいて、この発明の典型的な実施の形態について説明する。
【００２０】
なお、ここで図１および図２は、実施の形態にかかる引っ掛け具をそれぞれ表しており、図２は特に、環状引っ掛け体を図１の折り畳み位置から回動させて展開させた状態を示している。また、図３は、かかる引っ掛け具を壁面Ｈに取り付けた使用状態において、さらに、環状引っ掛け体を展開させた状態を示しており、この環状引っ掛け体は最大で同図における二点鎖線の位置まで展開させることができるようになっている。また、図４ないし図７は、環状引っ掛け体を折り畳んだ引っ掛け具をそれぞれ表しており、また、図８は、この環状引っ掛け体のみを表している。
【００２１】
この実施の形態にかかる引っ掛け具は、壁面Ｈ、典型的には、自動車の室内の壁面Ｈなどに取り付けられて、買い物袋や、フック付きの物品などを、この引っ掛け具を介して壁面Ｈに支持させるようにして用いられるものである。
【００２２】
かかる引っ掛け具は、ベース体１と、環状引っ掛け体２とを備えている。
【００２３】
ベース体１は、壁面Ｈへの取付部１１を背面に備えている。また、この背面と前面との間に、上部と側部とにおいて外方に開放された溝状引っ掛け部１２を備えている。
【００２４】
一方、環状引っ掛け体２は、ベース体１への回動組み付け部２０を有している。また、この回動組み付け部２０に対向する端部２０’側を上方に向けた折り畳み位置とこの回動組み付け部２０に対向する端部２０’側を下方に向けた展開位置との間での移動操作可能にこの回動組み付け部２０をもってベース体１に回動可能に組み付けられている。
【００２５】
これにより、かかる引っ掛け具にあっては、先ず、ベース体１の溝状引っ掛け部１２を利用して、この溝状引っ掛け部１２に引っ掛け可能な部分を備えた被引っ掛け対象物を、引っ掛け具を介して壁面Ｈに吊り下げ状に支持させることができる。
【００２６】
例えば、被引っ掛け対象物がプラスチックフィルム製の買い物袋である場合にあっては、この買い物袋の持ち手と開口縁とによって囲繞された空間内に引っ掛け具を入り込ませるようにした後、この持ち手を溝状引っ掛け部１２に上部溝口１２ａから入れ込ませて、この持ち手の中央部を溝状引っ掛け部１２の溝底１２ｂに接しさせ、かつ、この持ち手の両側部がそれぞれ溝状引っ掛け部１２の開放された側部からそれぞれ外方に引き出されて下方に延出されるようにすることにより、引っ掛け具を介して壁面Ｈに買い物袋を吊り下げ状に支持させることができる。
【００２７】
かかる溝状引っ掛け部１２は、ベース体１の背面と前面との間にこのベース体１の上部と側部とにおいて外方に開放されるように設けられていることから、被引っ掛け対象物の引っ掛け可能な部分への引っ掛かり代を大きく確保させることができ、安定的に被引っ掛け対象物を吊り下げ状に支持させることができる。
【００２８】
また、環状引っ掛け体２を利用して、フック付きの被引っ掛け対象物をさらに引っ掛け具を介して壁面Ｈに支持させることができる。
【００２９】
例えば、被引っ掛け対象物がフックを端部に備えた紐状体や、フックを縁部に備えたネットである場合には、環状引っ掛け体２を前記展開位置に向けて移動操作した後、この環状引っ掛け体２にフックの端部を入れ込ませることにより、こうした紐状体などを引っ掛け具を介して壁面Ｈに接続させ、支持させることができる。
【００３０】
また、環状引っ掛け体２によって被引っ掛け対象物を支持させる必要がない場合には、この環状引っ掛け体２を前記折り畳み位置に折り畳んでおくことにより、環状引っ掛け体２が邪魔にならないようにしておくことができる。
【００３１】
すなわち、かかる引っ掛け具によれば、前記溝状引っ掛け部１２によって吊り下げ状に支持可能な被引っ掛け対象物と、前記環状引っ掛け体２に引っ掛け可能なフックを備えた被引っ掛け対象物とを、かかる引っ掛け具を介して同時に壁面Ｈに対して都合良く支持させることができる。
【００３２】
環状引っ掛け体２は、必要に応じて、円環状、角環状をなすように構成することができる。
【００３３】
また、環状引っ掛け体２の回動組み付け部２０とベース体１との間に、適度な摩擦抵抗が生じるようにしておけば、環状引っ掛け体２を適宜の展開位置で仮止めさせることができる。
【００３４】
図示の例にあっては、ベース体１は、正面視の状態において、ほぼ円形の外郭形状を持つように構成されている。
【００３５】
すなわち、ベース体１は、略円柱状体に対し、前記のように溝状引っ掛け部１２を形成させることにより形成されている。
【００３６】
これにより、図示の例では、溝状引っ掛け部１２を構成する溝壁１２ｃの壁面は、上部溝口１２ａ側から溝状引っ掛け部１２の上下方向ほぼ中程の位置に近付くに連れて側方に広がった後、この中程の位置から溝底１２ｂに近付くに連れて狭まるように構成され、被引っ掛け対象物の引っ掛け可能な部分に対し広い引っ掛け代を持つようになっている。
【００３７】
すなわち、かかる溝状引っ掛け部１２によって、ベース体１は、ベース体１の下部において一体に連接された前面部１０’と背面部１０とに分割されている。
【００３８】
図示の例では、ベース体１の背面部１０には、このベース体１の背面に筒一端を一体に連接させると共に、筒他端を開放させた短寸の筒状体１３が備えられている。また、背面部１０には、この筒状体１３の筒一端に連通する貫通穴１４が設けられていると共に、前面部１０’は、内方に前方より環状引っ掛け体２をはめ込み可能な大きさを備えた環状体の上部と下部とを共に割欠くようにして構成されている。そして、図示の例では、この前面部１０’の内方と背面部１０の貫通穴１４とを通じて、この貫通穴１４よりも頭部Ｎａを大きくするネジ体Ｎを筒状体１３に挿し入れると共に、このように挿し入れたネジ体Ｎを壁面Ｈ側に止め付けて壁面Ｈへの引っ掛け具の取り付けをなすようにしてある。
【００３９】
すなわち、図示の例では、壁面Ｈに開設された取付穴Ｈａに筒状体１３を入れ込むと共に、この壁面Ｈの内方にあるブラケットＰに形成されたネジ穴Ｐａに前記のように挿し入れられたネジ体Ｎをネジ付けることにより、この壁面Ｈへの引っ掛け具の取り付けをなすようにしている。つまり、図示の例にあっては、かかる筒状体１３がベース体１における壁面Ｈへの取付部１１として機能するようになっている。なお、図示の例では、ブラケットＰに形成されたネジ穴Ｐａの上方に形成された位置決め穴Ｐｂに入り込む突起１３ａが筒状体１３の筒他端に形成してある。
【００４０】
また、図示の例にあっては、溝状引っ掛け部１２における上部溝口１２ａと溝底１２ｂとの間に、この溝状引っ掛け部１２の溝幅を狭める膨出部１５が形成されている。
【００４１】
具体的には、図示の例にあっては、側面視の状態において、溝状引っ掛け部１２の上下方向ほぼ中程の位置よりやや上方となる位置に、かかる膨出部１５が形成されている。
【００４２】
かかる膨出部１５は、溝状引っ掛け部１２における、背面部１０側にある溝壁１２ｃと、前面部１０’側にある溝壁１２ｃとにそれぞれ形成されている。そして、溝状引っ掛け部１２の溝幅が、上部溝口１２ａ側からこの膨出部１５の頂端に近付くに連れて次第に狭くなり、また、この膨出部１５の頂端から溝底１２ｂに近付くに連れて次第に広くなるように構成されている。
【００４３】
これにより、図示の例にあっては、溝状引っ掛け部１２に対し上部溝口１２ａから溝底１２ｂに接する位置まで一旦入れ込まれた被引っ掛け対象物の引っ掛け可能な部分を、この膨出部１５によって上方に移動させ難くすることができ、かかる引っ掛け可能な部分の引っ掛け状態、つまり、被引っ掛け対象物の吊り下げ状の支持状態を安定的に維持できるようになっている。特に、かかる引っ掛け具を自動車に用いた場合においては、走行中の振動などによって被引っ掛け対象物に浮き上がるような力が作用されても、引っ掛け具から被引っ掛け対象物が予期せず脱落などしないようにすることができる。
【００４４】
また、溝状引っ掛け部１２における上部溝口１２ａと膨出部１５の頂端との間にある溝壁１２ｃの壁面は、上部溝口１２ａに近付くに連れて次第にこの溝状引っ掛け部１２の溝幅を広げるように傾斜していることから、溝状引っ掛け部１２への被引っ掛け対象物の引っ掛け可能な部分の入れ込みはスムースになすことができる。
【００４５】
また、溝状引っ掛け部１２における溝底１２ｂと膨出部１５の頂端との間にある溝壁１２ｃの壁面は、溝底１２ｂに近付くに連れて次第にこの溝状引っ掛け部１２の溝幅を広げるように傾斜していることから、溝状引っ掛け部１２からの被引っ掛け対象物の引っ掛け可能な部分の抜き出しもまたスムースになすことができる。
【００４６】
一方、図示の例では、環状引っ掛け体２は、円環状をなす主体部２１と、この円環状をなす主体部２１の直径方向両側部においてそれぞれ外方に張り出す張り出し部２２とを備えている。
【００４７】
そして、図示の例では、ベース体１の内方に、前記折り畳み位置において、環状引っ掛け体２がはめ込み状に納まるようになっている。
【００４８】
すなわち、図示の例にあっては、ベース体１の前面側に、環状引っ掛け体２がその折り畳み位置においてはめ込み状に納まる凹部１０’ｂが形成されている。
【００４９】
具体的には、環状引っ掛け体２は、その一方の張り出し部２２ａを、ベース体１の前面部１０’の下部割欠部１８に入れ込ませた状態で、この下部割欠部１８によって区分された一対の環構成体１０’ａ、１０’ａのそれぞれの下端部と一方の張り出し部２２ａとに形成された軸穴１８ｂ、２３に通された、引っ掛け具を正面視にした状態において左右方向に軸線を配する軸ピン３によって、ベース体１に回動可能に組み付けられている。すなわち、図示の例では、この環状引っ掛け体２の一方の張り出し部２２ａが、環状引っ掛け体２の回動組み付け部２０として機能するようになっている。
【００５０】
また、環状引っ掛け体２は、その他方の張り出し部２２ｂを、前記折り畳み状態において、ベース体１の前面部１０’の上部割欠部１９に入れ込ませ、かつ、前記展開位置にある状態において、この他方の張り出し部２２ｂを下方に向けるように構成されている。すなわち、図示の例では、この環状引っ掛け体２の他方の張り出し部２２ｂが、環状引っ掛け体２の回動組み付け部２０と対向する端部２０’となるようになっている。
【００５１】
そして、図示の例では、前記折り畳み位置にある状態において、ベース体１の前面部１０’を構成する環構成体１０’ａの前面と、折り畳まれた環状引っ掛け体２の引っ掛け具の正面に向けられた面とがほぼ同面上に位置されるようになっている。
【００５２】
具体的には、ベース体１の前面部１０’を構成する環構成体１０’ａの内側には、この環構成体１０’ａの前面との間に、環状引っ掛け体２の厚さ寸法とほぼ等しい間隔を開けて内鍔状部１６が形成されており、環状引っ掛け体２は、前記展開位置にある状態からこの内鍔状部１６に接する位置まで上方に回動され、前記折り畳み位置にある状態に位置づけられるようになっている。
【００５３】
これにより、図示の例では、環状引っ掛け体２によって被引っ掛け対象物を支持させる必要がない場合には、この環状引っ掛け体２を前記折り畳み位置に折り畳んでおくことにより、環状引っ掛け体２が邪魔にならないように、ベース体１にスッキリと収納させておくことができる。
【００５４】
また、図示の例にあっては、環状引っ掛け体２の回動組み付け部２０となる一方の張り出し部２２ａと反対位置にある他方の張り出し部２２ｂと、上部割欠部１９によって区分された一対の環構成体１０’ａ、１０’ａのそれぞれの上端部とに、前記折り畳み位置において互いに掛合する掛合部１７、２４が形成されている。
【００５５】
具体的には、図示の例にあっては、環状引っ掛け体２の他方の張り出し部２２ｂの上下方向に沿い、かつ、環状引っ掛け体２の回動方向に沿った側部に、突部２４ａが形成してあると共に、ベース体１の前面部１０’を構成する一対の環構成体１０’ａ、１０’ａにおけるそれぞれの上端部の内方にそれぞれ、前記折り畳み位置において前記突部２４ａが入り込む凹部１７ａが形成されており、前記展開位置から折り畳み位置に向けて環状引っ掛け体２を移動操作することに伴って、主としてベース体１の前面部１０’を構成する環構成体１０’ａの側を弾性変形させることにより前記凹部１７ａに前記突部２４ａを受け入れさせて、この折り畳み位置にある状態を安定的に維持できるようになっている。
【００５６】
すなわち、図示の例にあっては、ベース体１の前面部１０’を構成する一対の環構成体１０’ａ、１０’ａにおける上端部の内面間の間隔が、環状引っ掛け体２の他方の張り出し部２２ｂの一対の突部２４ａ、２４ａの頂端間の間隔よりもやや狭く構成されており、前記展開位置から折り畳み位置に向けて環状引っ掛け体２を移動操作することに伴って、この突部２４ａを環構成体１０’ａの上端部の内面に押し当ててこの一対の環構成体１０’ａ、１０’ａの上端部間の間隔を弾性的に押し広げさせながら、環状引っ掛け体２を前記折り畳み位置まで受け入れるように構成されている。そして、環状引っ掛け体２をベース体１の前面部１０’に前記のように形成させた凹部１０’ｂ内に前記折り畳み位置まで入れ込み切った段階での一対の環構成体１０’ａ、１０’ａ側の弾性復帰によって、前記凹部１７ａに前記突部２４ａを受け入れさせて、環状引っ掛け体２の折り畳み位置にある状態を安定的に維持するようになっている。
【００５７】
このように折り畳み位置に保持された環状引っ掛け体２は、ベース体１の前面部１０’の上部割欠部１９を利用して環状引っ掛け体２の他方の張り出し部２２ｂを摘み持つなどして前方に引っ張ることにより、前記凹部１７ａから突部２４ａを抜け出させて再び展開位置に向けて回動させることができる。
【００５８】
図示の例では、ベース体１の前面部１０’における下部割欠部１８は、引っ掛け具の前面側から背面側に向けて窪ませらた凹状をなすように形成されている。そして、図示の例では、この下部割欠部１８の内奥部１８ａに、環状引っ掛け体２における展開先側にある回動組み付け部２０を構成する一方の張り出し部２２ａにおける面が突き当たる位置まで、環状引っ掛け体２を展開させることができるようになっている。
【００５９】
図示の例では、環状引っ掛け体２が、前記折り畳み位置からほぼ１８０度移動操作可能なようにベース体１に組み付けられている。（図３）
【００６０】
これにより、図示の例にあっては、環状引っ掛け体２を展開させ切った状態においては環状引っ掛け体２はベース体１の下方に位置されることから、フックを備えた被引っ掛け対象物のこのフックを、この展開位置まで回動された環状引っ掛け体２に対し容易に引っ掛けることができる。
【００６１】
【発明の効果】
この発明にかかる引っ掛け具によれば、溝状引っ掛け部を利用して買い物袋などを吊り下げ状に引っ掛けることができと共に、展開位置にある環状引っ掛け体にフック付きの物品のこのフックを容易に引っ掛けさせることができる。すなわち、かかる引っ掛け具によれば、同時に二種類の被引っ掛け対象物を容易かつ適切に引っ掛けることができる。
【図面の簡単な説明】
【図１】引っ掛け具の斜視図
【図２】引っ掛け具の斜視図
【図３】同使用状態を示す断面図
【図４】引っ掛け具の側面図
【図５】同断面図
【図６】同平面図
【図７】同一部破断底面図
【図８】環状引っ掛け体２の正面図
【符号の説明】
Ｈ　壁面
１　ベース体
１１　取付部
１２　溝状引っ掛け部
２　環状引っ掛け体
２０　回動組み付け部
２０’　回動組み付け部に対向する端部
【図１】
2004125044.tif 000003
【図２】
2004125044.tif 000004
【図３】
2004125044.tif 000005
【図４】
2004125044.tif 000006
【図５】
2004125044.tif 000007
【図６】
2004125044.tif 000008
【図７】
2004125044.tif 000009
【図８】
2004125044.tif 000010